(57)【要約】  ユーザ機器およびその同期信号ブロック（ＳＳＢ）を送信する方法が提供される。この方法は、サブフレームまたはスロット内でＳＳＢに関連付けられたリソースセットを送信することを含み、ＳＳＢはサイドリンクプライマリ同期信号（Ｓ−ＰＳＳ）、サイドリンクセカンダリ同期信号（Ｓ−ＳＳＳ）、およびＳ−ＰＳＳとＳ−ＳＳＳの間に０〜１つの物理サイドリンクブロードキャストチャネル（ＰＳＢＣＨ）を含む。
2022501970.tif 000002
【特許請求の範囲】
【請求項１】
同期信号ブロック（ＳＳＢ）を送信するユーザ機器であって、
メモリと、
送受信部と、
前記メモリおよび前記送受信部と結合されたプロセッサと、
を含み、
前記プロセッサは、前記送受信部を制御してサブフレームまたはスロット内でＳＳＢに関連付けられたリソースセットを送信するよう構成され、前記ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、前記リソースセットは前記Ｓ−ＰＳＳに使用される２つの直交周波数分割多重（ＯＦＤＭ）シンボル、前記Ｓ−ＳＳＳに使用される２つのＯＦＤＭシンボル、および前記ＰＳＢＣＨに使用される２つ以上のＯＦＤＭシンボルを含み、前記ＰＳＢＣＨに使用される前記ＯＦＤＭシンボル内の０〜１つのＯＦＤＭシンボルは前記Ｓ−ＰＳＳ用の前記ＯＦＤＭシンボルと前記Ｓ−ＳＳＳ用の前記ＯＦＤＭシンボルの間にあり、前記Ｓ−ＰＳＳに使用される前記ＯＦＤＭシンボルの位置は前記Ｓ−ＳＳＳに使用される前記ＯＦＤＭシンボルの位置の前にある、
ユーザ機器。
【請求項２】
前記Ｓ−ＰＳＳに使用される前記２つのＯＦＤＭシンボルは隣接するＯＦＤＭシンボルである、請求項１に記載のユーザ機器。
【請求項３】
前記Ｓ−ＳＳＳに使用される前記２つのＯＦＤＭシンボルは隣接するＯＦＤＭシンボルである、請求項１または２に記載のユーザ機器。
【請求項４】
前記Ｓ−ＰＳＳに使用される前記ＯＦＤＭシンボルの後の前記ＰＳＢＣＨに使用される最初のＯＦＤＭシンボルは、前記ＰＳＢＣＨを復号するように構成されるＤＭＲＳに使用されるリソースを含む、請求項１〜３のいずれか一項に記載のユーザ機器。
【請求項５】
前記ＤＭＲＳは、物理リソースブロック（ＰＲＢ）内で奇数個または偶数個のサブキャリアを占有する、請求項４に記載のユーザ機器。
【請求項６】
前記ＳＳＢは、前記Ｓ−ＰＳＳの前に位置する自動利得制御（ＡＧＣ）シンボルをさらに含む、請求項１〜５のいずれか一項に記載のユーザ機器。
【請求項７】
前記ＡＧＣシンボルには前記ＰＳＢＣＨがマッピングされる、または複数のビットがパディングされるよう構成される、請求項６に記載のユーザ機器。
【請求項８】
前記ＡＧＣシンボルには前記ＰＳＢＣＨがくし状にマッピングされる、請求項７に記載のユーザ機器。
【請求項９】
前記ＳＳＢは、前記Ｓ−ＳＳＳの後ろに位置するガード期間（ＧＰ）シンボルをさらに含む、請求項１〜８のいずれか一項に記載のユーザ機器。
【請求項１０】
前記ＧＰシンボルは空のままとされる、または前記ＧＰシンボルには前記ＰＳＢＣＨがくし状にマッピングされる、請求項９に記載のユーザ機器。
【請求項１１】
前記ＰＳＢＣＨのくし状リソースマッピングを決定するように構成されるパラメータは、あらかじめ設定される、またはネットワークにより設定される、請求項８または１０に記載のユーザ機器。
【請求項１２】
前記ＳＳＢは搬送波の中心周波数に配置される、または前記ＳＳＢの周波数位置はあらかじめ設定される、もしくはネットワークにより設定される、請求項１〜１１のいずれか一項に記載のユーザ機器。
【請求項１３】
時間領域における前記ＳＳＢの位置はあらかじめ設定される、またはネットワークにより設定される、請求項１〜１２のいずれか一項に記載のユーザ機器。
【請求項１４】
前記ＳＳＢの周期性はあらかじめ設定される、またはネットワークにより設定される、請求項１〜１３のいずれか一項に記載のユーザ機器。
【請求項１５】
前記Ｓ−ＰＳＳおよび前記Ｓ−ＳＳＳの周波数リソースは同じである、請求項１〜１４のいずれか一項に記載のユーザ機器。
【請求項１６】
ユーザ機器の同期信号ブロック（ＳＳＢ）を送信する方法であって、
サブフレームまたはスロット内でＳＳＢに関連付けられたリソースセットを送信することを含み、前記ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、前記リソースセットは前記Ｓ−ＰＳＳに使用される２つの直交周波数分割多重（ＯＦＤＭ）シンボル、前記Ｓ−ＳＳＳに使用される２つのＯＦＤＭシンボル、および前記ＰＳＢＣＨに使用される２つ以上のＯＦＤＭシンボルを含み、前記ＰＳＢＣＨに使用される前記ＯＦＤＭシンボル内の０〜１つのＯＦＤＭシンボルは前記Ｓ−ＰＳＳ用の前記ＯＦＤＭシンボルと前記Ｓ−ＳＳＳ用の前記ＯＦＤＭシンボルの間にあり、前記Ｓ−ＰＳＳに使用される前記ＯＦＤＭシンボルの位置は前記Ｓ−ＳＳＳに使用される前記ＯＦＤＭシンボルの位置の前にある、
方法。
【請求項１７】
前記Ｓ−ＰＳＳに使用される前記２つのＯＦＤＭシンボルは隣接するＯＦＤＭシンボルである、請求項１６に記載の方法。
【請求項１８】
前記Ｓ−ＳＳＳに使用される前記２つのＯＦＤＭシンボルは隣接するＯＦＤＭシンボルである、請求項１６または１７に記載の方法。
【請求項１９】
前記Ｓ−ＰＳＳに使用される前記ＯＦＤＭシンボルの後の前記ＰＳＢＣＨに使用される最初のＯＦＤＭシンボルは、前記ＰＳＢＣＨを復号するように構成されるＤＭＲＳに使用されるリソースを含む、請求項１６〜１８のいずれか一項に記載の方法。
【請求項２０】
前記ＤＭＲＳは、物理リソースブロック（ＰＲＢ）内で奇数個または偶数個のサブキャリアを占有する、請求項１９に記載の方法。
【請求項２１】
前記ＳＳＢは、前記Ｓ−ＰＳＳの前に位置する自動利得制御（ＡＧＣ）シンボルをさらに含む、請求項１６〜２０のいずれか一項に記載の方法。
【請求項２２】
前記ＡＧＣシンボルには前記ＰＳＢＣＨがマッピングされる、または複数のビットがパディングされるよう構成される、請求項２１に記載の方法。
【請求項２３】
前記ＡＧＣシンボルには前記ＰＳＢＣＨがくし状にマッピングされる、請求項２２に記載の方法。
【請求項２４】
前記ＳＳＢは、前記Ｓ−ＳＳＳの後ろに位置するガード期間（ＧＰ）シンボルをさらに含む、請求項１６〜２３のいずれか一項に記載の方法。
【請求項２５】
前記ＧＰシンボルは空のままとされる、または前記ＧＰシンボルには前記ＰＳＢＣＨがくし状にマッピングされる、請求項２４に記載の方法。
【請求項２６】
前記ＰＳＢＣＨのくし状リソースマッピングを決定するように構成されるパラメータは、あらかじめ設定される、またはネットワークにより設定される、請求項２３または２５に記載の方法。
【請求項２７】
前記ＳＳＢは搬送波の中心周波数に配置される、または前記ＳＳＢの周波数位置はあらかじめ設定される、もしくはネットワークにより設定される、請求項１６〜２６のいずれか一項に記載の方法。
【請求項２８】
時間領域における前記ＳＳＢの位置はあらかじめ設定される、またはネットワークにより設定される、請求項１６〜２７のいずれか一項に記載の方法。
【請求項２９】
前記ＳＳＢの周期性はあらかじめ設定される、またはネットワークにより設定される、請求項１６〜２８のいずれか一項に記載の方法。
【請求項３０】
前記Ｓ−ＰＳＳおよび前記Ｓ−ＳＳＳの周波数リソースは同じである、請求項１６〜２９のいずれか一項に記載の方法。
【請求項３１】
コンピュータにより実行された場合に前記コンピュータに請求項１６から３０のいずれか一項に記載の方法を実行させる命令が記憶されている非一時的機械可読記憶媒体。
【請求項３２】
プロセッサと、コンピュータプログラムを記憶するように構成されているメモリとを含み、前記プロセッサは、前記メモリに記憶された前記コンピュータプログラムを実行して請求項１６から３０のいずれか一項に記載の方法を実行するよう構成されている、端末装置。
【発明の詳細な説明】
【技術分野】
【０００１】
本開示は通信システムの分野に関し、より詳細には、ユーザ機器およびその同期信号ブロック（ＳＳＢ）を送信する方法に関する。
【背景技術】
【０００２】
高度道路交通システム（ＩＴＳ）の一環としての車両間（Ｖ２Ｖ）直接通信またはビークルツーエブリシング（Ｖ２Ｘ）通信用の無線技術の開発は、定期的な車両状態や警告メッセージのような基本的安全性の送信をブロードキャストすることから、拡張センサデータ共有や自動運転、車両隊列走行（ｐｌａｔｏｏｎｉｎｇ）のようなより先進的なユースケースやサービスへ対応することへと徐々に発展している。
【０００３】
ロングタームエボリューション−Ｖ２Ｘ（ＬＴＥ−Ｖ２Ｘ）において、３ｒｄ  ｇｅｎｅｒａｔｉｏｎ  ｐａｒｔｎｅｒｓｈｉｐ  ｐｒｏｊｅｃｔ  （３ＧＰＰ）によりＲｅｌｅａｓｅ  １４およびＲｅｌｅａｓｅ  １５で通信技術が開発された。Ｒｅｌｅａｓｅ  １６では、新しい無線通信（ＮＲ）アーキテクチャ、すなわちＮＲ−Ｖ２ＸでＶ２Ｘ通信技術がさらに開発された。
【０００４】
ビークルツーエブリシング（Ｖ２Ｘ）通信を実施可能で、信頼性を向上させることができるユーザ機器およびその同期信号ブロック（ＳＳＢ）を送信する方法を提案する必要がある。
【発明の概要】
【０００５】
本開示の目的は、ビークルツーエブリシング（Ｖ２Ｘ）通信においてＵＥ−ＵＥスケジューリングを実施可能で、信頼性を向上させることができる装置およびその不連続な受信方法を提案することである。
【０００６】
本開示の第１態様では、同期信号ブロック（ＳＳＢ）を送信するユーザ機器は、メモリ、送受信部、ならびにメモリおよび送受信部と結合されたプロセッサを含む。プロセッサは、送受信部を制御してサブフレームまたはスロット内でＳＳＢに関連付けられたリソースセットを送信するよう構成され、ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、リソースセットはＳ−ＰＳＳに使用される２つの直交周波数分割多重（ＯＦＤＭ）シンボル、Ｓ−ＳＳＳに使用される２つのＯＦＤＭシンボル、およびＰＳＢＣＨに使用される２つ以上のＯＦＤＭシンボルを含み、ＰＳＢＣＨに使用されるＯＦＤＭシンボル内の０〜１つのＯＦＤＭシンボルはＳ−ＰＳＳ用のＯＦＤＭシンボルとＳ−ＳＳＳ用のＯＦＤＭシンボルの間にあり、Ｓ−ＰＳＳに使用されるＯＦＤＭシンボルの位置はＳ−ＳＳＳに使用されるＯＦＤＭシンボルの位置の前にある。
【０００７】
本開示の第２態様では、ユーザ機器の同期信号ブロック（ＳＳＢ）を送信する方法は、サブフレームまたはスロット内でＳＳＢに関連付けられたリソースセットを送信することを含み、ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、リソースセットはＳ−ＰＳＳに使用される２つの直交周波数分割多重（ＯＦＤＭ）シンボル、Ｓ−ＳＳＳに使用される２つのＯＦＤＭシンボル、およびＰＳＢＣＨに使用される２つ以上のＯＦＤＭシンボルを含み、ＰＳＢＣＨに使用されるＯＦＤＭシンボル内の０〜１つのＯＦＤＭシンボルはＳ−ＰＳＳ用のＯＦＤＭシンボルとＳ−ＳＳＳ用のＯＦＤＭシンボルの間にあり、Ｓ−ＰＳＳに使用されるＯＦＤＭシンボルの位置はＳ−ＳＳＳに使用されるＯＦＤＭシンボルの位置の前にある。
【０００８】
本開示の第３態様では、非一時的機械可読記憶媒体には、コンピュータにより実行された場合にコンピュータに上記の方法を実行させる命令が記憶されている。
【０００９】
本開示の第４態様では、端末装置は、プロセッサと、コンピュータプログラムを記憶するように構成されているメモリとを含む。プロセッサは、メモリに記憶されたコンピュータプログラムを実行して上記の方法を実行するよう構成されている。
【図面の簡単な説明】
【００１０】
本開示の実施形態または関連技術をより明確に示すため、実施形態で説明される以下の図を簡潔に紹介する。図面は本開示の一部の実施形態に過ぎないことは明らかであり、当業者であれば前提を払うことなくこれらの図に従って他の図を得ることができる。
【００１１】
【図１】本開示の一実施形態に係る同期信号ブロック（ＳＳＢ）を送信するユーザ機器および別のユーザ機器のブロック図である。
【図２】本開示の一実施形態に係るユーザ機器の同期信号ブロック（ＳＳＢ）を送信する方法を示すフローチャートである。
【図３Ａ】本開示の一実施形態に係る同期信号ブロック（ＳＳＢ）の例示的な図の模式図である。
【図３Ｂ】本開示の一実施形態に係る同期信号ブロック（ＳＳＢ）の例示的な図の模式図である。
【図３Ｃ】本開示の一実施形態に係る同期信号ブロック（ＳＳＢ）の例示的な図の模式図である。
【図３Ｄ】本開示の一実施形態に係る同期信号ブロック（ＳＳＢ）の例示的な図の模式図である。
【図４Ａ】本開示の一実施形態に係る同期信号ブロック（ＳＳＢ）の例示的な図の模式図である。
【図４Ｂ】本開示の一実施形態に係る同期信号ブロック（ＳＳＢ）の例示的な図の模式図である。
【図５Ａ】本開示の一実施形態に係る同期信号ブロック（ＳＳＢ）の例示的な図の模式図である。
【図５Ｂ】本開示の一実施形態に係る同期信号ブロック（ＳＳＢ）の例示的な図の模式図である。
【図６】本開示の一実施形態に係る同期信号ブロック（ＳＳＢ）の例示的な図の模式図である。
【図７Ａ】本開示の一実施形態に係る同期信号ブロック（ＳＳＢ）の例示的な図の模式図である。
【図７Ｂ】本開示の一実施形態に係る同期信号ブロック（ＳＳＢ）の例示的な図の模式図である。
【図８Ａ】本開示の一実施形態に係る同期信号ブロック（ＳＳＢ）の例示的な図の模式図である。
【図８Ｂ】本開示の一実施形態に係る同期信号ブロック（ＳＳＢ）の例示的な図の模式図である。
【図８Ｃ】本開示の一実施形態に係る同期信号ブロック（ＳＳＢ）の例示的な図の模式図である。
【図９Ａ】本開示の一実施形態に係る同期信号ブロック（ＳＳＢ）の例示的な図の模式図である。
【図９Ｂ】本開示の一実施形態に係る同期信号ブロック（ＳＳＢ）の例示的な図の模式図である。
【図９Ｃ】本開示の一実施形態に係る同期信号ブロック（ＳＳＢ）の例示的な図の模式図である。
【図９Ｄ】本開示の一実施形態に係る同期信号ブロック（ＳＳＢ）の例示的な図の模式図である。
【図１０】本開示の一実施形態に係る同期信号ブロック（ＳＳＢ）の例示的な図の模式図である。
【図１１Ａ】本開示の一実施形態に係る同期信号ブロック（ＳＳＢ）の例示的な図の模式図である。
【図１１Ｂ】本開示の一実施形態に係る同期信号ブロック（ＳＳＢ）の例示的な図の模式図である。
【図１１Ｃ】本開示の一実施形態に係る同期信号ブロック（ＳＳＢ）の例示的な図の模式図である。
【図１１Ｄ】本開示の一実施形態に係る同期信号ブロック（ＳＳＢ）の例示的な図の模式図である。
【図１２】本開示の一実施形態に係る同期信号ブロック（ＳＳＢ）の例示的な図の模式図である。
【図１３Ａ】本開示の一実施形態に係る同期信号ブロック（ＳＳＢ）の例示的な図の模式図である。
【図１３Ｂ】本開示の一実施形態に係る同期信号ブロック（ＳＳＢ）の例示的な図の模式図である。
【図１３Ｃ】本開示の一実施形態に係る同期信号ブロック（ＳＳＢ）の例示的な図の模式図である。
【図１４】本開示の一実施形態に係る同期信号ブロック（ＳＳＢ）の例示的な図の模式図である。
【図１５】本開示の一実施形態に係る無線通信用のシステムのブロック図である。
【発明を実施するための形態】
【００１２】
本開示の実施形態について、添付の図面を参照し、技術的事項、構造的特徴、達成される目的、および効果とともに以下で詳細に説明する。特に、本開示の実施形態における用語は特定の実施形態の目的を説明するために過ぎず、本開示を制限するものではない。
【００１３】
３ｒｄ  ｇｅｎｅｒａｔｉｏｎ  ｐａｒｔｎｅｒｓｈｉｐ  ｐｒｏｊｅｃｔ  （３ＧＰＰ）のＲｅｌｅａｓｅ  １６では、いくつかの新しい特徴、例えば新しい無線通信ビークルツーエブリシング（ＮＲ−Ｖ２Ｘ）用のものが議論されている。例えば、ＮＲ−Ｖ２Ｘのヌメロロジー（ｎｕｍｅｒｏｌｏｇｉｅｓ）および波形が議論中である。ロングタームエボリューションＶ２Ｘ（ＬＴＥ−Ｖ２Ｘ）では、サイドリンク同期信号（ＳＬＳＳ）および物理サイドリンクブロードキャストチャネル（ＰＳＢＣＨ）はサブフレームまたはスロット内で送信される。サイドリンクプライマリ同期信号（Ｓ−ＰＳＳ）に使用される２つの直交周波数分割多重（ＯＦＤＭ）シンボル、サイドリンクセカンダリ同期信号（Ｓ−ＳＳＳ）に使用される２つのＯＦＤＭシンボル、復調用参照信号（ＤＭＲＳ）に使用される３つのＯＦＤＭシンボルが存在し、残りのＯＦＤＭシンボルはＰＳＢＣＨ、自動利得制御（ＡＧＣ）シンボル、またはガード期間（ＧＰ）シンボルに使用される。ＳＬＳＳおよびＰＳＢＣＨをＮＲ−Ｖ２Ｘで送信する方法を検討する必要がある
【００１４】
図１は、一部の実施形態では、本開示の一実施形態に係る同期信号ブロック（ＳＳＢ）を送信するユーザ機器（ＵＥ）１０および別のユーザ機器２０が提供されることを示す。ＵＥ１０はプロセッサ１１、メモリ１２、および送受信部１３を含みうる。ＵＥ２０はプロセッサ２１、メモリ２２、および送受信部２３を含みうる。プロセッサ１１または２１は、本明細書に記載される、提案される機能、手順、および／または方法を実施するよう構成されうる。無線インタフェースプロトコルの層はプロセッサ１１または２１内に実装されうる。メモリ１２または２２はプロセッサ１１または２１と動作可能に結合され、プロセッサ１１または２１を動作させるための様々な情報を記憶する。送受信部１３または２３はプロセッサ１１または２１と動作可能に結合され、送受信部１３または２３は無線信号を送信および／または受信する。
【００１５】
プロセッサ１１または２１は、特定用途向け集積回路（ＡＳＩＣ）、他のチップセット、論理回路および／またはデータ処理装置を含みうる。メモリ１２または２２は、読み出し専用メモリ（ＲＯＭ）、ランダムアクセスメモリ（ＲＡＭ）、フラッシュメモリ、メモリカード、記憶媒体および／または他の記憶装置を含みうる。送受信部１３または２３は、無線周波数の信号を処理するためにベースバンド回路を含みうる。実施形態がソフトウェアで実現される場合、本明細書に記載の技術は、本明細書に記載の機能を実行するモジュール（例えば手順、機能など）を用いて実装することができる。モジュールはメモリ１２または２２に記憶することができて、プロセッサ１１または２１により実行することができる。メモリ１２または２２はプロセッサ１１または２１の内部またはプロセッサ１１または２１の外部に実装することができて、メモリ１２または２２とプロセッサ１１または２１は当技術分野で既知の様々な手段を用いて通信可能に結合することができる。
【００１６】
ＵＥ間の通信は、３ｒｄ  ｇｅｎｅｒａｔｉｏｎ  ｐａｒｔｎｅｒｓｈｉｐ  ｐｒｏｊｅｃｔ  （３ＧＰＰ）のＲｅｌｅａｓｅ  １４、１５、１６およびそれ以降のもとで開発されたサイドリンク技術に基づく、車両間（Ｖ２Ｖ）、車両・歩行者間（Ｖ２Ｐ）、車両・インフラストラクチャ／ネットワーク間（Ｖ２Ｉ／Ｎ）を含む、ビークルツーエブリシング（Ｖ２Ｘ）通信に関する。ＵＥは、ＰＣ５インタフェースなどのサイドリンクインタフェースを介して、互いに直接通信を行う。
【００１７】
図１は、一部の実施形態では、プロセッサ１１は送受信部１３を制御してサブフレームまたはスロット内でＳＳＢに関連付けられたリソースセットを送信するよう構成され、ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、リソースセットはＳ−ＰＳＳに使用される２つの直交周波数分割多重（ＯＦＤＭ）シンボル、Ｓ−ＳＳＳに使用される２つのＯＦＤＭシンボル、およびＰＳＢＣＨに使用される２つ以上のＯＦＤＭシンボルを含み、ＰＳＢＣＨに使用されるＯＦＤＭシンボル内の０〜１つのＯＦＤＭシンボルはＳ−ＰＳＳ用のＯＦＤＭシンボルとＳ−ＳＳＳ用のＯＦＤＭシンボルの間にあり、Ｓ−ＰＳＳに使用されるＯＦＤＭシンボルの位置はＳ−ＳＳＳに使用されるＯＦＤＭシンボルの位置の前にある、ということを示す。
【００１８】
一部の実施形態では、Ｓ−ＰＳＳに使用される２つのＯＦＤＭシンボルは隣接するＯＦＤＭシンボルである。同じＳ−ＰＳＳシーケンスがこの２つのＯＦＤＭシンボルへマッピングされる。一部の実施形態では、Ｓ−ＳＳＳに使用される２つのＯＦＤＭシンボルは隣接するＯＦＤＭシンボルである。同じＳ−ＳＳＳシーケンスがこの２つのＯＦＤＭシンボルへマッピングされる。一部の実施形態では、Ｓ−ＰＳＳに使用されるＯＦＤＭシンボルの後のＰＳＢＣＨに使用される最初のＯＦＤＭシンボルは、ＰＳＢＣＨを復号するように構成されているＤＭＲＳに使用されるリソースを含む。一部の実施形態では、ＤＭＲＳは物理リソースブロック（ＰＲＢ）内で奇数個または偶数個のサブキャリアもしくはリソース要素を占有する。一部の実施形態では、ＰＳＢＣＨのくし状リソースマッピングを決定するように構成されるパラメータは、あらかじめ設定される、またはネットワークにより設定される。一部の実施形態では、Ｓ−ＰＳＳおよびＳ−ＳＳＳの周波数リソースは同じである。
【００１９】
一部の実施形態では、リソースセットはＰＳＢＣＨを送信するように構成されるリソースを含み、ＰＳＢＣＨを送信するように構成されるこのリソースは、ＰＳＢＣＨペイロードを送信するように構成されるリソース、および、ＰＳＢＣＨを復号するように構成される復調用参照信号（ＤＭＲＳ）を送信するように構成されるリソースを含む。一部の実施形態では、ＳＳＢ内には、Ｓ−ＰＳＳに使用される複数の隣接する直交周波数分割多重（ＯＦＤＭ）シンボルが存在し、Ｓ−ＳＳＳに使用される複数の隣接するＯＦＤＭシンボルが存在し、ＰＳＢＣＨに使用される０〜１個のＯＦＤＭシンボルが存在し、Ｓ−ＰＳＳに使用される隣接するＯＦＤＭシンボルの位置はＳ−ＳＳＳに使用される隣接するＯＦＤＭシンボルの位置の前である。一部の実施形態では、ＳＳＢは、Ｓ−ＰＳＳの前に位置する自動利得制御（ＡＧＣ）シンボルをさらに含む。
【００２０】
一部の実施形態では、ＡＧＣシンボルはスロットの先頭にあり、ＰＳＢＣＨがマッピングされる、または複数のビットがパディングされるよう構成される。一部の実施形態では、ＡＧＣシンボルにはＰＳＢＣＨがくし状にマッピングされる。一部の実施形態では、ＳＳＢは、Ｓ−ＳＳＳの後ろに位置するガード期間（ＧＰ）シンボルをさらに含む。一部の実施形態では、ＧＰシンボルは空のままとされるか、ＰＳＢＣＨがくし状にマッピングされる。一部の実施形態では、Ｓ−ＰＳＳおよびＳ−ＳＳＳの周波数リソースは同じである。一部の実施形態では、周波数リソースは周波数リソースの大きさおよび／または開始位置を含む。一部の実施形態では、Ｓ−ＰＳＳおよびＳ−ＳＳＳの周波数リソースの大きさは同じである。一部の実施形態では、Ｓ−ＰＳＳおよびＳ−ＰＳＳの周波数領域内での開始位置は同じである。別の実施形態では、Ｓ−ＳＳＳはＳ−ＰＳＳの前とすることもできる。別の実施形態では、Ｓ−ＰＳＳはＳ−ＳＳＳに使用される２つのＯＦＤＭシンボルの間とすることもできる。
【００２１】
一部の実施形態では、Ｓ−ＰＳＳはＳ−ＳＳＳの前にある、またはＳ−ＳＳＳはＳ−ＰＳＳの前にある。一部の実施形態では、Ｓ−ＰＳＳシーケンス、Ｓ−ＳＳＳシーケンス、およびＰＳＢＣＨペイロードのくし状のリソースマッピングのために、くし状リソースマッピングを決定するように構成されるパラメータはあらかじめ設定される、またはネットワークにより設定される。一部の実施形態では、ＳＳＢは搬送波の中心周波数に配置される、またはＳＳＢの周波数位置はあらかじめ設定される、もしくはネットワークにより設定される。一部の実施形態では、時間領域におけるＳＳＢの位置はあらかじめ設定される、またはネットワークにより設定される。一部の実施形態では、ＳＳＢの周期性はあらかじめ設定される、またはネットワークにより設定される。一部の実施形態では、Ｓ−ＰＳＳのくし状リソースマッピングはＳＳＢの最初のＯＦＤＭシンボルまたは最終ＯＦＤＭシンボルに対して行われる。一部の実施形態では、Ｓ−ＳＳＳのくし状リソースマッピングはＳＳＢの最初のＯＦＤＭシンボルまたは最終ＯＦＤＭシンボルに対して行われる。
【００２２】
一部の実施形態では、ＰＳＢＣＨのくし状リソースマッピングはＳＳＢの最初のＯＦＤＭシンボルまたは最終ＯＦＤＭシンボルに対して行われる。一部の実施形態では、Ｓ−ＰＳＳが１つのＯＦＤＭシンボルへくし状にマッピングされる場合、Ｓ−ＰＳＳに使用される残りのＯＦＤＭシンボルもくし状にマッピングされる。一部の実施形態では、Ｓ−ＳＳＳが１つのＯＦＤＭシンボルへくし状にマッピングされる場合、Ｓ−ＳＳＳに使用される残りのＯＦＤＭシンボルもくし状にマッピングされる。
【００２３】
図２は、本開示の一実施形態に係るユーザ機器の同期信号ブロック（ＳＳＢ）を送信する方法２００を示す。一部の実施形態では、方法２００は、ブロック２０２でサブフレームまたはスロット内でＳＳＢに関連付けられたリソースセットを送信することを含み、ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、リソースセットはＳ−ＰＳＳに使用される２つの直交周波数分割多重（ＯＦＤＭ）シンボル、Ｓ−ＳＳＳに使用される２つのＯＦＤＭシンボル、およびＰＳＢＣＨに使用される２つ以上のＯＦＤＭシンボルを含み、ＰＳＢＣＨに使用されるＯＦＤＭシンボル内の０〜１つのＯＦＤＭシンボルはＳ−ＰＳＳ用のＯＦＤＭシンボルとＳ−ＳＳＳ用のＯＦＤＭシンボルの間にあり、Ｓ−ＰＳＳに使用されるＯＦＤＭシンボルの位置はＳ−ＳＳＳに使用されるＯＦＤＭシンボルの位置の前にある。
【００２４】
一部の実施形態では、Ｓ−ＰＳＳに使用される２つのＯＦＤＭシンボルは隣接するＯＦＤＭシンボルである。同じＳ−ＰＳＳシーケンスがこの２つのＯＦＤＭシンボルへマッピングされる。一部の実施形態では、Ｓ−ＳＳＳに使用される２つのＯＦＤＭシンボルは隣接するＯＦＤＭシンボルである。同じＳ−ＳＳＳシーケンスがこの２つのＯＦＤＭシンボルへマッピングされる。一部の実施形態では、Ｓ−ＰＳＳに使用されるＯＦＤＭシンボルの後のＰＳＢＣＨに使用される最初のＯＦＤＭシンボルは、ＰＳＢＣＨを復号するように構成されるＤＭＲＳに使用されるリソースを含む。一部の実施形態では、ＤＭＲＳは物理リソースブロック（ＰＲＢ）内で奇数個または偶数個のサブキャリアもしくはリソース要素を占有する。一部の実施形態では、ＰＳＢＣＨのくし状リソースマッピングを決定するように構成されるパラメータは、あらかじめ設定される、またはネットワークにより設定される。一部の実施形態では、Ｓ−ＰＳＳおよびＳ−ＳＳＳの周波数リソースは同じである。
【００２５】
一部の実施形態では、リソースセットはＰＳＢＣＨを送信するように構成されるリソースを含み、ＰＳＢＣＨを送信するように構成されるこのリソースは、ＰＳＢＣＨペイロードを送信するように構成されるリソース、および、ＰＳＢＣＨを復号するように構成される復調用参照信号（ＤＭＲＳ）を送信するように構成されるリソースを含む。一部の実施形態では、ＳＳＢ内には、Ｓ−ＰＳＳに使用される複数の隣接する直交周波数分割多重（ＯＦＤＭ）シンボルが存在し、Ｓ−ＳＳＳに使用される複数の隣接するＯＦＤＭシンボルが存在し、ＰＳＢＣＨに使用される０〜１個のＯＦＤＭシンボルが存在し、Ｓ−ＰＳＳに使用される隣接するＯＦＤＭシンボルの位置はＳ−ＳＳＳに使用される隣接するＯＦＤＭシンボルの位置の前である。一部の実施形態では、ＳＳＢは、Ｓ−ＰＳＳの前に位置する自動利得制御（ＡＧＣ）シンボルをさらに含む。
【００２６】
一部の実施形態では、ＡＧＣシンボルはスロットの先頭にあり、ＰＳＢＣＨがマッピングされる、または複数のビットがパディングされるよう構成される。一部の実施形態では、ＡＧＣシンボルにはＰＳＢＣＨがくし状にマッピングされる。一部の実施形態では、ＳＳＢは、Ｓ−ＳＳＳの後ろに位置するガード期間（ＧＰ）シンボルをさらに含む。一部の実施形態では、ＧＰシンボルは空のままとされるか、ＰＳＢＣＨがくし状にマッピングされる。一部の実施形態では、Ｓ−ＰＳＳおよびＳ−ＳＳＳの周波数リソースは同じである。一部の実施形態では、周波数リソースは周波数リソースの大きさおよび／または開始位置を含む。一部の実施形態では、Ｓ−ＰＳＳおよびＳ−ＳＳＳの周波数リソースの大きさは同じである。一部の実施形態では、Ｓ−ＰＳＳおよびＳ−ＰＳＳの周波数領域内での開始位置は同じである。別の実施形態では、Ｓ−ＳＳＳはＳ−ＰＳＳの前とすることもできる。別の実施形態では、Ｓ−ＰＳＳはＳ−ＳＳＳに使用される２つのＯＦＤＭシンボルの間とすることもできる。
【００２７】
一部の実施形態では、Ｓ−ＰＳＳはＳ−ＳＳＳの前にある、またはＳ−ＳＳＳはＳ−ＰＳＳの前にある。一部の実施形態では、Ｓ−ＰＳＳシーケンス、Ｓ−ＳＳＳシーケンス、およびＰＳＢＣＨペイロードのくし状のリソースマッピングのために、くし状リソースマッピングを決定するように構成されるパラメータはあらかじめ設定される、またはネットワークにより設定される。一部の実施形態では、ＳＳＢは搬送波の中心周波数に配置される、またはＳＳＢの周波数位置はあらかじめ設定される、もしくはネットワークにより設定される。一部の実施形態では、時間領域におけるＳＳＢの位置はあらかじめ設定される、またはネットワークにより設定される。一部の実施形態では、ＳＳＢの周期性はあらかじめ設定される、またはネットワークにより設定される。一部の実施形態では、Ｓ−ＰＳＳのくし状リソースマッピングはＳＳＢの最初のＯＦＤＭシンボルまたは最終ＯＦＤＭシンボルに対して行われる。一部の実施形態では、Ｓ−ＳＳＳのくし状リソースマッピングはＳＳＢの最初のＯＦＤＭシンボルまたは最終ＯＦＤＭシンボルに対して行われる。
【００２８】
一部の実施形態では、ＰＳＢＣＨのくし状リソースマッピングはＳＳＢの最初のＯＦＤＭシンボルまたは最終ＯＦＤＭシンボルに対して行われる。一部の実施形態では、Ｓ−ＰＳＳが１つのＯＦＤＭシンボルへくし状にマッピングされる場合、Ｓ−ＰＳＳに使用される残りのＯＦＤＭシンボルもくし状にマッピングされる。一部の実施形態では、Ｓ−ＳＳＳが１つのＯＦＤＭシンボルへくし状にマッピングされる場合、Ｓ−ＳＳＳに使用される残りのＯＦＤＭシンボルもくし状にマッピングされる。
【００２９】
一部の実施形態では、ＳＬＳＳおよびＰＳＢＣＨを送信するのに使用されるリソースセットはＳＳＢと呼ぶこともできる。ＳＳＢは、サブフレームまたはスロット内で送信することができる。ＳＳＢは少なくともＳ−ＰＳＳ、Ｓ−ＳＳＳ、およびＰＳＢＣＨを含む。ＰＳＢＣＨを送信するのに使用されるリソースは、ＰＳＢＣＨペイロードを送信するのに使用されるリソースとＰＳＢＣＨを復号するのに使用されるＤＭＲＳを送信するのに使用されるリソースの両方を含むことが理解できる。
【００３０】
図３Ａ、３Ｂ、３Ｃ、および３Ｄは、一部の実施形態では、ＳＳＢ内には、Ｓ−ＰＳＳに使用される２つの隣接するＯＦＤＭシンボルと、Ｓ−ＳＳＳに使用される２つの隣接するＯＦＤＭシンボルと、ＰＳＢＣＨに使用される２つ以上のＯＦＤＭシンボルが存在することを示す。
【００３１】
図３Ａは、一部の実施形態では、ＳＳＢ内には、Ｓ−ＰＳＳに使用される２つの隣接するＯＦＤＭシンボルとＳ−ＳＳＳに使用される２つの隣接するＯＦＤＭシンボルが存在することを示す。Ｓ−ＰＳＳのＯＦＤＭシンボルはＳＳＢの先頭にある。Ｓ−ＳＳＳに使用される２つの隣接するＯＦＤＭシンボルが存在し、Ｓ−ＳＳＳのＯＦＤＭシンボルはＳＳＢの終端にある。ＰＳＢＣＨのＯＦＤＭシンボルはＳ−ＰＳＳとＳ−ＳＳＳの間にある。ＰＳＢＣＨに使用される２つ以上のＯＦＤＭシンボルが存在する。一部の実施形態では、ＰＳＢＣＨに使用される０個または１個のＯＦＤＭシンボルがＳ−ＰＳＳとＳ−ＳＳＳの間に存在する。
【００３２】
図３Ｂは、一部の実施形態では、ＳＳＢ内には、Ｓ−ＰＳＳに使用される２つの隣接するＯＦＤＭシンボルが存在し、Ｓ−ＰＳＳのＯＦＤＭシンボルはＳＳＢの先頭にある、ということを示す。ＰＳＢＣＨに使用される２つのＯＦＤＭシンボルが存在する。ＰＳＢＣＨの１つのＯＦＤＭシンボルはＳ−ＳＳＳシンボルの位置の前にあり、ＰＳＢＣＨの別のＯＦＤＭシンボルはＳ−ＳＳＳシンボルの位置の後にある。例えば、ＳＳＢ内には、Ｓ−ＰＳＳに使用される最初および２番目のＯＦＤＭシンボル、ＰＳＢＣＨに使用される３番目および６番目のＯＦＤＭシンボル、Ｓ−ＳＳＳに使用される４番目および５番目のＯＦＤＭシンボル。
【００３３】
図３Ｃは、一部の実施形態では、ＳＳＢ内で、Ｓ−ＰＳＳのＯＦＤＭシンボルはＳＳＢの先頭にあることを示す。ＰＳＢＣＨに使用される３つのＯＦＤＭシンボルが存在する。ＰＳＢＣＨの２つのＯＦＤＭシンボルはＳ−ＳＳＳシンボルの位置の前にあり、ＰＳＢＣＨの別のＯＦＤＭシンボルはＳ−ＳＳＳシンボルの位置の後にある。例えば、ＳＳＢ内には、Ｓ−ＰＳＳに使用される最初および２番目のＯＦＤＭシンボル、ＰＳＢＣＨに使用される３番目、４番目および７番目のＯＦＤＭシンボル、Ｓ−ＳＳＳに使用される５番目および６番目のＯＦＤＭシンボル。
【００３４】
図３Ｄは、一部の実施形態では、ＳＳＢ内で、Ｓ−ＰＳＳのＯＦＤＭシンボルはＳＳＢの先頭にあることを示す。ＰＳＢＣＨに使用される４つのＯＦＤＭシンボルが存在する。ＰＳＢＣＨの２つのＯＦＤＭシンボルはＳ−ＳＳＳのＯＦＤＭシンボルの位置の前にあり、ＰＳＢＣＨの別の２つのＯＦＤＭシンボルはＳ−ＳＳＳのＯＦＤＭシンボルの位置の後にある。例えば、ＳＳＢ内には、Ｓ−ＰＳＳに使用される最初および２番目のＯＦＤＭシンボル、ＰＳＢＣＨに使用される３番目、４番目、７番目および８番目のＯＦＤＭシンボル、Ｓ−ＳＳＳに使用される５番目および６番目のＯＦＤＭシンボル。
【００３５】
上記の実施形態のすべてにおいて、ＰＳＢＣＨの周波数リソースはＳ−ＰＳＳおよびＳ−ＳＳＳよりも大きくすることができる。例えば、ＯＦＤＭシンボル１つに対して２４個のリソースブロック（ＲＢ）がＰＳＢＣＨに使用され、ＯＦＤＭシンボル１つに対して１２個のＲＢがＳ−ＰＳＳまたはＳ−ＳＳＳに使用される。ＰＳＢＣＨの周波数リソースがＳ−ＰＳＳおよび／またはＳ−ＳＳＳより大きい場合、Ｓ−ＰＳＳおよび／またはＳ−ＳＳＳに使用されるＯＦＤＭシンボルの周波数リソースの一部をＰＳＢＣＨにも使用することができて、これは図４Ａおよび４Ｂに示されている。ＰＳＢＣＨおよびＳ−ＳＳＳの周波数リソースを整列させることができる、またはＰＳＢＣＨおよびＳ−ＰＳＳの周波数リソースを整列させることができる。
【００３６】
図４Ａおよび４Ｂは、ＰＳＢＣＨを図３ＤのＳ−ＰＳＳおよび／またはＳ−ＳＳＳに使用されるＯＦＤＭシンボルに対してマッピングする方法の図である。この仕組みは図３Ａ、３Ｂ、３Ｃなどの他の図に対しても適用することができる。
【００３７】
上記の実施形態のすべてにおいて、ＰＳＢＣＨの送信に使用されるリソースはＰＳＢＣＨペイロードおよびＤＭＲＳの両方に使用されるリソースを含む。ＤＭＲＳとＰＳＢＣＨペイロードを多重化する方法には２つの候補があり、図５Ａおよび５Ｂに示されている。
【００３８】
図５Ａでは、ＤＭＲＳはＰＳＢＣＨペイロードをマッピングするのに使用されるリソースブロック（ＲＢ）のいくつかのリソース要素に対してマッピングされる。ＲＢ内でＫ個のリソース要素のうち１つがＤＭＲＳに使用される。例えば、ＲＢ内に、０から１１のインデックス範囲を有する１２個のリソース要素が周波数領域に存在する。ＤＭＲＳはＲＢ１つに対して偶数または奇数のリソース要素を占有しうる。この多重化方式は巡回プレフィックス（ｃｙｃｌｉｃ  ｐｒｅｆｉｘ）直交周波数分割多重（ＣＰ−ＯＦＤＭ）システムに適用することができる。
【００３９】
図５ＢではＤＭＲＳはＰＳＢＣＨペイロードに使用されるＯＦＤＭシンボルとは異なる別のＯＦＤＭシンボルを占有しうる。例えば、図３Ｄでは３番目および７番目のＯＦＤＭシンボルがＤＭＲＳに使用され、４番目および８番目のＯＦＤＭシンボルがＰＳＢＣＨペイロードに使用される。この多重化方式は離散フーリエ変換拡散直交周波数分割多重（ＤＦＴ−ｓ−ＯＦＤＭ）システムに適用することができる。
【００４０】
上記の実施形態のすべてにおいて、ＡＧＣとして使用されるＳＳＢの最初のＯＦＤＭの前に１つの追加ＯＦＤＭ、および／または、ガード期間（ＧＰ）として使用されるＳＳＢの最終ＯＦＤＭの後に１つの追加ＯＦＤＭシンボルが存在しうる。図３ＡにＡＧＣシンボルおよびＧＰシンボルを追加した一例が図６に示されている。ＡＧＣシンボルにはＰＳＢＣＨまたは複数のパティング用ビットをマッピングすることができる。一部の実施形態では、ＡＧＣシンボルにＰＳＢＣＨがマッピングされる場合、くし状リソースマッピングが適用可能で、これは図７Ａの最初のＯＦＤＭシンボルと類似しており、ＰＳＢＣＨがマッピングされない残りのリソース要素は空のままとされる。ＧＰシンボルは空のままとすることができる。あるいは、ＧＰシンボルにＰＳＢＣＨをくし状にマッピングすることが可能であり、これは図７Ａの最終ＯＦＤＭシンボルと類似しており、ＰＳＢＣＨがマッピングされない残りのリソース要素は空のままとされる。
【００４１】
図７Ａおよび７Ｂは、一部の実施形態では、ＯＦＤＭシンボルはＳ−ＰＳＳおよびＳ−ＳＳＳに使用されて、くし状リソースマッピングがＳ−ＰＳＳシーケンスおよびＳ−ＳＳＳシーケンスに個別に適用される、ということを示す。
【００４２】
図７Ａは、一部の実施形態では、ＳＳＢ内には、Ｓ−ＰＳＳに使用される１つのＯＦＤＭシンボルと、Ｓ−ＳＳＳに使用される１つのＯＦＤＭシンボルと、ＰＳＢＣＨに使用される２つ以上のＯＦＤＭシンボルが存在することを示す。Ｓ−ＰＳＳに使用されるＯＦＤＭシンボルはＳＳＢの先頭にある。Ｓ−ＳＳＳに使用されるＯＦＤＭシンボルはＳＳＢの終端にある。Ｓ−ＰＳＳシーケンスは、Ｓ−ＰＳＳ  ＯＦＤＭシンボル上のＡ個のリソース要素に対して１つのリソース要素へマッピングされる、すなわち、Ｓ−ＰＳＳ  ＯＦＤＭシンボル上の隣接するＳ−ＰＳＳ信号のリソース要素の個数はＡである。Ｓ−ＳＳＳシーケンスは、Ｓ−ＳＳＳ  ＯＦＤＭシンボル上のＢ個のリソース要素に対して１つのリソース要素へマッピングされる、すなわち、Ｓ−ＳＳＳ  ＯＦＤＭシンボル上の隣接するＳ−ＳＳＳ信号のリソース要素の個数はＢである。Ｓ−ＰＳＳシーケンスまたはＳ−ＳＳＳシーケンスがマッピングされないＳ−ＰＳＳ  ＯＦＤＭシンボルまたはＳ−ＳＳＳ  ＯＦＤＭシンボル上の残りのリソース要素は、空のままとされる。
【００４３】
図７Ｂは、一部の実施形態では、ＳＳＢ内には、Ｓ−ＰＳＳに使用される２つのＯＦＤＭシンボルと、Ｓ−ＳＳＳに使用される２つのＯＦＤＭシンボルと、ＰＳＢＣＨに使用される２つ以上のＯＦＤＭシンボルが存在することを示す。Ｓ−ＰＳＳに使用される２つのＯＦＤＭシンボルは時間領域で隣接する。Ｓ−ＳＳＳに使用される２つのＯＦＤＭシンボルは時間領域で隣接する。Ｓ−ＰＳＳに使用されるＯＦＤＭシンボルはＳＳＢの先頭にある。Ｓ−ＳＳＳに使用されるＯＦＤＭシンボルはＳＳＢの終端にある。Ｓ−ＰＳＳシーケンスは、Ｓ−ＰＳＳ  ＯＦＤＭシンボル上のＣ個のリソース要素に対して１つのリソース要素へマッピングされる、すなわち、Ｓ−ＰＳＳ  ＯＦＤＭシンボル上の隣接するＳ−ＰＳＳ信号のリソース要素の個数はＣである。Ｓ−ＳＳＳシーケンスは、Ｓ−ＳＳＳ  ＯＦＤＭシンボル上のＤ個のリソース要素に対して１つのリソース要素へマッピングされる、すなわち、Ｓ−ＳＳＳ  ＯＦＤＭシンボル上の隣接するＳ−ＳＳＳ信号のリソース要素の個数はＤである。Ｓ−ＰＳＳシーケンスまたはＳ−ＳＳＳシーケンスがマッピングされないＳ−ＰＳＳ  ＯＦＤＭシンボルまたはＳ−ＳＳＳ  ＯＦＤＭシンボル上の残りのリソース要素は、空のままとされる。
【００４４】
例えば、Ｓ−ＰＳＳ  ＯＦＤＭシンボル上で、Ｓ−ＰＳＳシーケンスは偶数個のリソース要素へマッピングされる。Ｓ−ＳＳＳ  ＯＦＤＭシンボル上で、Ｓ−ＳＳＳシーケンスは偶数個のリソース要素へマッピングされる。別の例では、Ｓ−ＰＳＳ  ＯＦＤＭシンボル上で、Ｓ−ＰＳＳシーケンスは偶数個のリソース要素へマッピングされる。Ｓ−ＳＳＳ  ＯＦＤＭシンボル上で、Ｓ−ＳＳＳシーケンスは奇数個のリソース要素へマッピングされる。図７Ａおよび７Ｂの一部の実施形態では、ＰＳＢＣＨの送信に使用されるリソースはＰＳＢＣＨペイロードおよびＤＭＲＳの両方に使用されるリソースを含む。図５Ａおよび５Ｂに示される、ＤＭＲＳとＰＳＢＣＨペイロードを多重化する方法の２つの候補は、これらの実施形態にも適用される。図７Ａおよび７Ｂの一部の実施形態では、ＰＳＢＣＨの周波数リソースがＳ−ＰＳＳおよびＳ−ＳＳＳより大きい場合、Ｓ−ＰＳＳおよび／またはＳ−ＳＳＳに使用されるＯＦＤＭシンボル上の周波数リソースの一部は、ＰＳＢＣＨとＳ−ＳＳＳの間、またはＰＳＢＣＨとＳ−ＰＳＳの間の周波数リソースを整列させるためにＰＳＢＣＨにも使用することができる。一例が図８Ａ、８Ｂ、および８Ｃに示されている。図８Ａおよび８Ｂでは、Ｓ−ＰＳＳおよびＳ−ＳＳＳのＯＦＤＭシンボルへマッピングされるＰＳＢＣＨは、Ｓ−ＰＳＳおよびＳ−ＳＳＳと同じくし状マッピング方式を使用する。図８Ｃでは、最初のＳ−ＰＳＳ  ＯＦＤＭシンボルおよび２番目のＳ−ＳＳＳ  ＯＦＤＭシンボルへマッピングされるＰＳＢＣＨは、Ｓ−ＰＳＳおよびＳ−ＳＳＳと同じくし状マッピング方式を使用する。２番目のＳ−ＰＳＳ  ＯＦＤＭシンボルおよび最初のＳ−ＳＳＳ  ＯＦＤＭシンボルへマッピングされるＰＳＢＣＨは、ＰＳＢＣＨがマッピングされるＲＢ１つに対してすべてのリソース要素へマッピングされる。
【００４５】
図９Ａ、９Ｂ、９Ｃ、および９Ｄは、一部の実施形態では、ＳＳＢ内で最初のＯＦＤＭシンボルおよび最終ＯＦＤＭシンボルがＰＳＢＣＨに使用されることを示す。くし状リソースマッピングが最初のＯＦＤＭシンボルおよび最終ＯＦＤＭシンボル上でＰＳＢＣＨへ適用される。ＰＳＢＣＨがマッピングされない最初のＯＦＤＭシンボルおよび最終ＯＦＤＭシンボル上の残りのリソース要素は空のままとされる。図９Ａは、一部の実施形態では、ＳＳＢ内には、ＰＳＢＣＨに使用される２つのＯＦＤＭシンボルと、Ｓ−ＰＳＳ用の１つのＯＦＤＭシンボルと、Ｓ−ＳＳＳ用の１つのＯＦＤＭシンボルが存在することを示す。ＳＳＢ内で、２番目のＯＦＤＭシンボルはＳ−ＰＳＳに使用され、３番目のＯＦＤＭシンボルはＳ−ＳＳＳに使用される。図９Ｂは、一部の実施形態では、ＳＳＢ内には、ＰＳＢＣＨに使用される３つのＯＦＤＭシンボルと、Ｓ−ＰＳＳ用の１つのＯＦＤＭシンボルと、Ｓ−ＳＳＳ用の１つのＯＦＤＭシンボルが存在することを示す。ＳＳＢ内で、最初、３番目、および５番目のＯＦＤＭシンボルはＰＳＢＣＨに使用され、２番目のＯＦＤＭシンボルはＳ−ＰＳＳに使用され、４番目のＯＦＤＭシンボルはＳ−ＳＳＳに使用される。図９Ｃは、一部の実施形態では、ＳＳＢ内には、ＰＳＢＣＨに使用される４つのＯＦＤＭシンボルと、Ｓ−ＰＳＳ用の１つのＯＦＤＭシンボルと、Ｓ−ＳＳＳ用の１つのＯＦＤＭシンボルが存在することを示す。ＳＳＢ内で、最初、２番目、５番目、および６番目のＯＦＤＭシンボルはＰＳＢＣＨに使用され、３番目のＯＦＤＭシンボルはＳ−ＰＳＳに使用され、４番目のＯＦＤＭシンボルはＳ−ＳＳＳに使用される。図９Ｄは、一部の実施形態では、ＳＳＢ内には、ＰＳＢＣＨに使用される４つのＯＦＤＭシンボルと、Ｓ−ＰＳＳに使用される１つのＯＦＤＭシンボルと、Ｓ−ＳＳＳに使用される１つのＯＦＤＭシンボルが存在することを示す。ＳＳＢ内で、最初、３番目、４番目、および６番目のＯＦＤＭシンボルはＰＳＢＣＨに使用され、２番目のＯＦＤＭシンボルはＳ−ＰＳＳに使用され、５番目のＯＦＤＭシンボルはＳ−ＳＳＳに使用される。図９Ａ、９Ｂ、９Ｃ、および９Ｄは、一部の実施形態では、ＰＳＢＣＨの送信に使用されるリソースはＰＳＢＣＨペイロードおよびＤＭＲＳの両方に使用されるリソースを含むことを示す。図５に示される、ＤＭＲＳとＰＳＢＣＨペイロードを多重化する方法の２つの候補は、図９Ａ、９Ｂ、９Ｃ、および９Ｄにも適用可能である。図９ＡのＤＭＲＳとＰＳＢＣＨペイロードの多重化の一例が図１０に示される。図９Ａ、９Ｂ、９Ｃ、および９Ｄは、一部の実施形態では、ＰＳＢＣＨの周波数リソースがＳ−ＰＳＳおよびＳ−ＳＳＳより大きい場合、Ｓ−ＰＳＳおよび／またはＳ−ＳＳＳに使用されるＯＦＤＭシンボル上の周波数リソースの一部は、ＰＳＢＣＨとＳ−ＳＳＳの間、またはＰＳＢＣＨとＳ−ＰＳＳの間の周波数リソースを整列させるためにＰＳＢＣＨにも使用することができることを示す。
【００４６】
図１１Ａ、１１Ｂ、１１Ｃ、および１１Ｄは、一部の実施形態では、ＳＳＢ内で最初のＯＦＤＭシンボルおよび最終ＯＦＤＭシンボルがＰＳＢＣＨに使用されることを示す。くし状リソースマッピングが最初のＯＦＤＭシンボルおよび最終ＯＦＤＭシンボル上でＰＳＢＣＨへ適用される。ＰＳＢＣＨがマッピングされない最初のＯＦＤＭシンボルおよび最終ＯＦＤＭシンボル上の残りのリソース要素は空のままとされる。ＳＳＢ内で、Ｓ−ＰＳＳに使用される２つの隣接するＯＦＤＭシンボルと、Ｓ−ＳＳＳに使用される２つの隣接するＯＦＤＭシンボルが存在する。図１１Ａは、一部の実施形態では、ＳＳＢ内には、ＰＳＢＣＨに使用される２つのＯＦＤＭシンボルが存在することを示す。Ｓ−ＰＳＳは２番目および３番目のＯＦＤＭシンボルを占有し、Ｓ−ＳＳＳは４番目および５番目のＯＦＤＭシンボルを占有する。ＰＳＢＣＨは最初および６番目のＯＦＤＭシンボルを占有する。図１１Ｂは、一部の実施形態では、ＳＳＢ内には、ＰＳＢＣＨに使用される３つのＯＦＤＭシンボルが存在することを示す。ＳＳＢ内で、最初、４番目、および７番目のＯＦＤＭシンボルはＰＳＢＣＨに使用され、２番目および３番目のＯＦＤＭシンボルはＳ−ＰＳＳに使用され、５番目および６番目のＯＦＤＭシンボルはＳ−ＳＳＳに使用される。図１１Ｃは、一部の実施形態では、ＳＳＢ内には、ＰＳＢＣＨに使用される４つのＯＦＤＭシンボルが存在することを示す。ＳＳＢ内で、最初、２番目、７番目および８番目のＯＦＤＭシンボルはＰＳＢＣＨに使用され、３番目および４番目のＯＦＤＭシンボルはＳ−ＰＳＳに使用され、５番目および６番目のＯＦＤＭシンボルはＳ−ＳＳＳに使用される。図１１Ｄは、一部の実施形態では、ＳＳＢ内には、ＰＳＢＣＨに使用される４つのＯＦＤＭシンボルが存在することを示す。ＳＳＢ内で、最初、４番目、５番目および８番目のＯＦＤＭシンボルはＰＳＢＣＨに使用され、２番目および３番目のＯＦＤＭシンボルはＳ−ＰＳＳに使用され、６番目および７番目のＯＦＤＭシンボルはＳ−ＳＳＳに使用される。図１１Ａ、１１Ｂ、１１Ｃ、および１１Ｄは、一部の実施形態では、ＰＳＢＣＨの送信に使用されるリソースはＰＳＢＣＨペイロードおよびＤＭＲＳの両方に使用されるリソースを含むことを示す。図５および／または図１０に示される、ＤＭＲＳとＰＳＢＣＨペイロードを多重化する方法の候補は、図１１Ａ、１１Ｂ、１１Ｃ、および１１Ｄにも適用可能である。図１１Ａ、１１Ｂ、１１Ｃ、および１１Ｄは、一部の実施形態では、ＰＳＢＣＨの周波数リソースがＳ−ＰＳＳおよびＳ−ＳＳＳより大きい場合、Ｓ−ＰＳＳおよび／またはＳ−ＳＳＳに使用されるＯＦＤＭシンボル上の周波数リソースの一部は、ＰＳＢＣＨとＳ−ＳＳＳの間、またはＰＳＢＣＨとＳ−ＰＳＳの間の周波数リソースを整列させるためにＰＳＢＣＨにも使用することができることを示す。図１１ＡのＳ−ＰＳＳ／Ｓ−ＳＳＳ  ＯＦＤＭシンボルへのＰＳＢＣＨのマッピングの一例が図１２に示される。
【００４７】
図１３Ａ、１３Ｂ、および１３Ｃは、一部の実施形態では、ＳＳＢ内には、１つのＳ−ＰＳＳ  ＯＦＤＭシンボルと１つのＳ−ＳＳＳ  ＯＦＤＭシンボルが存在することを示す。図１３Ａは、一部の実施形態では、Ｓ−ＰＳＳ  ＯＦＤＭシンボルはＳＳＢの先頭にあり、Ｓ−ＳＳＳ  ＯＦＤＭシンボルはＳＳＢの終端にあり、ＰＳＢＣＨはＳ−ＰＳＳとＳ−ＳＳＳの間にあり、２つ以上のＰＳＢＣＨ用のＯＦＤＭシンボルが存在する、ということを示す。図１３Ｂは、一部の実施形態では、Ｓ−ＰＳＳ  ＯＦＤＭシンボルはＳＳＢの先頭にあり、２つ以上のＰＳＢＣＨ用のＯＦＤＭシンボルが存在し、最終ＯＦＤＭシンボルはＰＳＢＣＨに使用され、最後から２番目のＯＦＤＭシンボルはＳ−ＳＳＳに使用され、ＰＳＢＣＨの残りのＯＦＤＭシンボルはＳ−ＰＳＳとＳ−ＳＳＳの間にある、ということを示す。図１３Ｃは、一部の実施形態では、最初のＯＦＤＭシンボルはＳ−ＰＳＳに使用され、２番目のＯＦＤＭシンボルはＳ−ＳＳＳに使用され、２つ以上のＰＳＢＣＨ用のＯＦＤＭシンボルが存在し、ＰＳＢＣＨ  ＯＦＤＭシンボルはＳ−ＳＳＳ  ＯＦＤＭシンボルの後ろにある、ということを示す。図１３Ａ、１３Ｂ、および１３Ｃは、一部の実施形態では、ＡＧＣとして使用されるＳＳＢの最初のＯＦＤＭの前に１つの追加ＯＦＤＭ、および／または、ＧＰとして使用されるＳＳＢの最終ＯＦＤＭの後に１つの追加ＯＦＤＭシンボルが存在しうる。図１３ＡにＡＧＣシンボルおよびＧＰシンボルを追加した一例が図１４に示されている。
【００４８】
一部の実施形態では、ＡＧＣシンボルにはＰＳＢＣＨペイロードまたは複数のパティング用ビットをマッピングすることができる。ＡＧＣシンボルにＰＳＢＣＨペイロードがマッピングされる場合は、図９Ａの最初のＯＦＤＭシンボルと類似した、くし状のマッピングとすることができる。ＧＰシンボルは空のままとすることができる。あるいは、ＧＰシンボルにＰＳＢＣＨペイロードをくし状にマッピングすることが可能であり、これは図９Ａの最終ＯＦＤＭシンボルと類似しており、ＰＳＢＣＨがマッピングされない残りのリソース要素は空のままとされる。ＰＳＢＣＨの周波数リソースがＳ−ＰＳＳおよびＳ−ＳＳＳより大きい場合、Ｓ−ＰＳＳおよび／またはＳ−ＳＳＳに使用されるＯＦＤＭシンボルの周波数リソースの一部をＰＳＢＣＨにも使用することができる。ＰＳＢＣＨおよびＳ−ＳＳＳの周波数リソースを整列させることができる、またはＰＳＢＣＨおよびＳ−ＰＳＳの周波数リソースを整列させることができる。
【００４９】
要約すると、上記のすべての実施形態に対して、以下の特徴がありうる。
１．Ｓ−ＰＳＳおよびＳ−ＳＳＳの周波数リソースは同じである。例えば、Ｓ−ＰＳＳおよびＳ−ＳＳＳの周波数リソースの大きさは同じである。Ｓ−ＰＳＳおよびＳ−ＰＳＳの周波数領域内での開始位置は同じである。
２．すべての実施形態に対して、Ｓ−ＰＳＳ  ＯＦＤＭシンボルはＳ−ＳＳＳ  ＯＦＤＭシンボルの前にある。また、Ｓ−ＳＳＳ  ＯＦＤＭシンボルがＳ−ＰＳＳ  ＯＦＤＭシンボルの前にあることもありうる。
３．Ｓ−ＰＳＳシーケンス、Ｓ−ＳＳＳシーケンス、およびＰＳＢＣＨペイロードのくし状のリソースマッピングのために、くし状リソースマッピングを決定するように構成されるパラメータはあらかじめ設定される、またはネットワークにより設定される。
４．ＳＳＢは搬送波の中心周波数に配置することができる。あるいは、ＳＳＢの周波数位置はあらかじめ設定される、またはネットワークにより設定される。
５．時間領域内でのＳＳＢの位置（例えば、ＳＳＢのスロットおよびシンボル位置）はあらかじめ設定される、またはネットワークにより設定される。
６．ＳＳＢの周期性はあらかじめ設定される、またはネットワークにより設定される。
【００５０】
要約すると、上記の実施形態は以下のような技術的特徴を有する。Ｓ−ＰＳＳのくし状リソースマッピングはＳＳＢの最初のＯＦＤＭシンボル／最終ＯＦＤＭシンボルに対して行われる。Ｓ−ＳＳＳのくし状リソースマッピングはＳＳＢの最初のＯＦＤＭシンボル／最終ＯＦＤＭシンボルに対して行われる。ＰＳＢＣＨのくし状リソースマッピングはＳＳＢの最初のＯＦＤＭシンボル／最終ＯＦＤＭシンボルに対して行われる。Ｓ−ＰＳＳが１つのＯＦＤＭシンボルへくし状にマッピングされる場合、Ｓ−ＰＳＳに使用される残りのＯＦＤＭシンボルもくし状にマッピングされる。Ｓ−ＳＳＳが１つのＯＦＤＭシンボルへくし状にマッピングされる場合、Ｓ−ＳＳＳに使用される残りのＯＦＤＭシンボルもくし状にマッピングされる。
【００５１】
図１５は、本開示の一実施形態に係る無線通信用の例示のシステム７００のブロック図である。本明細書に記載の実施形態は、任意の適切に構成されたハードウェアおよび／またはソフトウェアを使ってシステムへ実装しうる。図１５は、少なくとも示されているように互いに結合されている、無線周波数（ＲＦ）回路７１０、ベースバンド回路７２０、応用回路７３０、メモリ／記憶装置７４０、ディスプレイ７５０、カメラ７６０、センサ７７０、および入力／出力（Ｉ／Ｏ）インタフェース７８０を含むシステム７００を示す。
【００５２】
応用回路７３０は、限定されないが、１つまたは複数のシングルコアもしくはマルチコアのプロセッサなどの回路を含みうる。プロセッサは、汎用プロセッサと専用プロセッサ、例えばグラフィックスプロセッサやアプリケーションプロセッサ、の任意の組み合わせを含みうる。プロセッサはメモリ／記憶装置と結合することができて、またメモリ／記憶装置に記憶された命令を実行してシステム上で様々なアプリケーションおよび／またはオペレーティングシステムが動作できるように構成することができる。
【００５３】
ベースバンド回路７２０は、限定されないが、１つまたは複数のシングルコアもしくはマルチコアのプロセッサなどの回路を含みうる。プロセッサはベースバンドプロセッサを含みうる。ベースバンド回路は、ＲＦ回路を介して１つまたは複数の無線ネットワークとの通信を可能とする様々な無線制御機能に対処しうる。無線制御機能は、限定されないが、信号変調、符号化、復号化、無線周波数シフトなどを含みうる。一部の実施形態では、ベースバンド回路は１つまたは複数の無線技術と互換性のある通信を提供しうる。例えば、一部の実施形態では、ベースバンド回路はＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＥＵＴＲＡＮ）、ならびに／または、他の無線メトロポリタンエリアネットワーク（ＷＭＡＮ）、無線ローカルエリアネットワーク（ＷＬＡＮ）、もしくは無線パーソナルエリアネットワーク（ＷＰＡＮ）との通信をサポートしうる。ベースバンド回路が２つ以上の無線プロトコルの無線通信をサポートするように構成される実施形態は、マルチモードベースバンド回路と呼ばれることがある。
【００５４】
様々な実施形態では、ベースバンド回路７２０は、厳密にはベースバンド周波数であるとはみなされない信号で動作するための回路を含みうる。例えば、一部の実施形態では、ベースバンド回路は、ベースバンド周波数と無線周波数の間である中間周波数を有する信号で動作するための回路を含みうる。ＲＦ回路７１０は、非固体媒質を介した変調電磁放射を使って無線ネットワークとの通信を可能にしうる。様々な実施形態では、ＲＦ回路は無線ネットワークとの通信を容易にするためにスイッチ、フィルタ、増幅器、などを含みうる。様々な実施形態では、ＲＦ回路７１０は、厳密には無線周波数であるとはみなされない信号で動作するための回路を含みうる。例えば、一部の実施形態では、ＲＦ回路は、ベースバンド周波数と無線周波数の間である中間周波数を有する信号で動作するための回路を含みうる。
【００５５】
様々な実施形態では、ユーザ機器、ｅＮＢ、またはｇＮＢに関して上述された送信回路、制御回路、または受信回路は、全体または一部が、ＲＦ回路、ベースバンド回路、および／または応用回路のうちの１つまたは複数において具現化されうる。本明細書で使用される場合、「回路」は、１つまたは複数のソフトウェアもしくはファームウェアプログラムを実行する特定用途向け集積回路（ＡＳＩＣ）、電子回路、プロセッサ（共有、専用、またはグループ）、および／もしくはメモリ（共有、専用、またはグループ）、組み合わせ論理回路、ならびに／または記載した機能性を提供する他の適切なハードウェア構成要素を指しうる、もしくはその一部でありうる、またはそれらを含みうる。一部の実施形態では、電子デバイス回路は１つまたは複数のソフトウェアもしくはファームウェアモジュールで実現されうる、あるいは電子デバイス回路に関連する機能が１つまたは複数のソフトウェアもしくはファームウェアモジュールにより実現されうる。
【００５６】
一部の実施形態では、ベースバンド回路、応用回路、および／またはメモリ／記憶装置の構成要素の一部またはすべては、システムオンチップ（ＳＯＣ）上に共に実装されうる。メモリ／記憶装置７４０は例えばシステム用のデータおよび／または命令をロードおよび記憶するのに使用されうる。一実施形態向けのメモリ／記憶装置は、ダイナミックランダムアクセスメモリ（ＤＲＡＭ）などの適切な揮発性メモリおよび／またはフラッシュメモリなどの適切な不揮発性メモリの任意の組み合わせを含みうる。様々な実施形態では、Ｉ／Ｏインタフェース７８０は、ユーザのシステムとのインタラクションを可能とするよう設計されている１つもしくは複数のユーザインタフェース、および／または、周辺構成要素とシステムとのインタラクションを可能とするよう設計されている周辺構成要素インタフェースを含みうる。ユーザインタフェースは、限定されないが、物理キーボードまたはキーパッド、タッチパッド、スピーカー、マイクなどを含みうる。周辺構成要素インタフェースは、限定されないが、不揮発性メモリポート、ユニバーサルシリアルバス（ＵＳＢ）ポート、オーディオジャック、および電源インタフェースを含みうる。
【００５７】
様々な実施形態では、センサ７７０は、システムに関連する環境条件および／また位置情報を判定するために１つまたは複数の検出デバイスを含みうる。一部の実施形態では、センサは、限定されないが、ジャイロセンサ、加速度計、近接センサ、環境光センサ、および測位ユニットを含みうる。また、測位ユニットは、全地球測位システム（ＧＰＳ）衛星などの測位ネットワークの構成要素と通信するためにベースバンド回路および／またはＲＦ回路の一部でありうる、またはそれらとインタラクションを行いうる。
【００５８】
様々な実施形態では、ディスプレイ７５０は、液晶ディスプレイやタッチスクリーンディスプレイなどのディスプレイを含みうる。様々な実施形態では、システム７００は、限定されないが、ラップトップ型コンピュータ装置、タブレット型コンピュータ装置、ネットブック、ｕｌｔｒａｂｏｏｋ、スマートフォンなどの携帯用コンピュータ装置でありうる。様々な実施形態では、システムは、より多くの、もしくはより少ない構成要素、および／または異なるアーキテクチャを有することがある。適切な場合、本明細書に記載の方法はコンピュータプログラムとして実現されうる。コンピュータプログラムは、非一時的記憶媒体などの記憶媒体上に記憶することができる。
【００５９】
本開示の一部の実施形態により、ビークルツーエブリシング（Ｖ２Ｘ）通信を実施可能で、信頼性を向上させることができるユーザ機器およびその同期信号ブロック（ＳＳＢ）を送信する方法が提供される。本開示の実施形態は、最終製品を作るために３ＧＰＰ仕様で採用することができる技術／プロセスの組み合わせである。
【００６０】
当業者は、本開示の実施形態で記載され開示されるユニット、アルゴリズム、およびステップのそれぞれは電子機器またはコンピュータや電子機器用のソフトウェアの組み合わせを使って実現されることを理解する。機能がハードウェアまたはソフトウェアで動作するかどうかは、アプリケーションの状態および技術計画に対する設計要件により決まる。当業者は様々な方法を用いて特定のアプリケーションのそれぞれに対する機能を実現することができるが、そのような現実化は本開示の範囲を超えるべきではない。当業者であれば、上述したシステム、装置およびユニットの作業工程は基本的に同一であるので、上述した実施形態におけるシステム、装置、およびユニットの作業工程を参照できることが理解される。説明を簡単、簡潔とするため、これらの作業工程については詳しく述べない。
【００６１】
本開示の実施形態で開示されるシステム、装置、および方法は他の方法で実現できることが理解される。上述した実施形態は例示に過ぎない。ユニットの境界は単に論理的機能に基づいており、他の境界が現実には存在する。複数のユニットまたは構成要素が結合される、または別のシステムに統合されることはありうる。また、一部の特徴が除外される、または省略されることもありうる。一方で、表示された、または記載された相互結合、直接結合、または伝達結合は、電気的形態、機械的形態、または他の種類の形態を用いて、間接的であろうとまたは通信可能であろうと、いくつかのポート、装置、またはユニットを介して動作する。説明のため分離構成要素としてのこれらのユニットは物理的に分離されている、または分離されていない。ディスプレイ用ユニットは物理的なユニットである、またはそうではなく、つまり、一つの場所に置かれている、または複数のネットワークユニットに分散されている。ユニットの一部またはすべては実施形態の目的に従って使用される。さらに、実施形態のそれぞれにおける各機能ユニットは、物理的に独立している１つの処理ユニットに統合することができる、または２つ以上のユニットを有する一つの処理ユニットに統合することができる。
【００６２】
ソフトウェア機能ユニットが実現、使用され、製品として販売される場合、コンピュータ内の読み取り可能記憶媒体に記憶することができる。この理解に基づき、本開示により提案される技術計画は、本質的に、または部分的に、ソフトウェア製品の形態で実現することができる。あるいは、従来の技術に対して有益である技術計画の一部は、ソフトウェア製品の形態で実現することができる。計算装置（例えばパソコン、サーバ、またはネットワークデバイスなど）用の複数のコマンドを含むコンピュータ内のソフトウェア製品は記憶媒体に記憶されて、本開示の実施形態で開示されるステップのすべてまたは一部を実行する。記憶媒体には、ＵＳＢディスク、携帯用ハードディスク、読み出し専用メモリ（ＲＯＭ）、ランダムアクセスメモリ（ＲＡＭ）、フロッピーディスク、またはプログラムコードを記憶することができる他の種類の媒体が含まれる。
【００６３】
本開示は最も実践的で好ましい実施形態と考えられるものに関して説明されたが、本開示は開示された実施形態に限定されるのではなく、添付の請求項の最も広範な解釈の範囲から逸脱することなくなされる様々なアレンジを含むことを意図していると理解される。
【図１】
2022501970.tif 000003
【図２】
2022501970.tif 000004
【図３Ａ】
2022501970.tif 000005
【図３Ｂ】
2022501970.tif 000006
【図３Ｃ】
2022501970.tif 000007
【図３Ｄ】
2022501970.tif 000008
【図４Ａ】
2022501970.tif 000009
【図４Ｂ】
2022501970.tif 000010
【図５Ａ】
2022501970.tif 000011
【図５Ｂ】
2022501970.tif 000012
【図６】
2022501970.tif 000013
【図７Ａ】
2022501970.tif 000014
【図７Ｂ】
2022501970.tif 000015
【図８Ａ】
2022501970.tif 000016
【図８Ｂ】
2022501970.tif 000017
【図８Ｃ】
2022501970.tif 000018
【図９Ａ】
2022501970.tif 000019
【図９Ｂ】
2022501970.tif 000020
【図９Ｃ】
2022501970.tif 000021
【図９Ｄ】
2022501970.tif 000022
【図１０】
2022501970.tif 000023
【図１１Ａ】
2022501970.tif 000024
【図１１Ｂ】
2022501970.tif 000025
【図１１Ｃ】
2022501970.tif 000026
【図１１Ｄ】
2022501970.tif 000027
【図１２】
2022501970.tif 000028
【図１３Ａ】
2022501970.tif 000029
【図１３Ｂ】
2022501970.tif 000030
【図１３Ｃ】
2022501970.tif 000031
【図１４】
2022501970.tif 000032
【図１５】
2022501970.tif 000033
【手続補正書】
【提出日】令和3年3月30日(2021.3.30)
【手続補正１】
【補正対象書類名】明細書
【補正対象項目名】０００５
【補正方法】変更
【補正の内容】
【０００５】
本開示の目的は、ビークルツーエブリシング（Ｖ２Ｘ）通信においてＵＥ−ＵＥスケジューリングを実施可能で、信頼性を向上させることができる装置およびその同期信号ブロック（ＳＳＢ）を送信する方法を提案することである。
【手続補正２】
【補正対象書類名】明細書
【補正対象項目名】００２０
【補正方法】変更
【補正の内容】
【００２０】
一部の実施形態では、ＡＧＣシンボルはスロットの先頭にあり、ＰＳＢＣＨがマッピングされる、または複数のビットがパディングされるよう構成される。一部の実施形態では、ＡＧＣシンボルにはＰＳＢＣＨがくし状にマッピングされる。一部の実施形態では、ＳＳＢは、Ｓ−ＳＳＳの後ろに位置するガード期間（ＧＰ）シンボルをさらに含む。一部の実施形態では、ＧＰシンボルは空のままとされるか、ＰＳＢＣＨがくし状にマッピングされる。一部の実施形態では、Ｓ−ＰＳＳおよびＳ−ＳＳＳの周波数リソースは同じである。一部の実施形態では、周波数リソースは周波数リソースの大きさおよび／または開始位置を含む。一部の実施形態では、Ｓ−ＰＳＳおよびＳ−ＳＳＳの周波数リソースの大きさは同じである。一部の実施形態では、Ｓ−ＰＳＳおよびＳ−ＳＳＳの周波数領域内での開始位置は同じである。別の実施形態では、Ｓ−ＳＳＳはＳ−ＰＳＳの前とすることもできる。別の実施形態では、Ｓ−ＰＳＳはＳ−ＳＳＳに使用される２つのＯＦＤＭシンボルの間とすることもできる。
【手続補正３】
【補正対象書類名】明細書
【補正対象項目名】００２６
【補正方法】変更
【補正の内容】
【００２６】
一部の実施形態では、ＡＧＣシンボルはスロットの先頭にあり、ＰＳＢＣＨがマッピングされる、または複数のビットがパディングされるよう構成される。一部の実施形態では、ＡＧＣシンボルにはＰＳＢＣＨがくし状にマッピングされる。一部の実施形態では、ＳＳＢは、Ｓ−ＳＳＳの後ろに位置するガード期間（ＧＰ）シンボルをさらに含む。一部の実施形態では、ＧＰシンボルは空のままとされるか、ＰＳＢＣＨがくし状にマッピングされる。一部の実施形態では、Ｓ−ＰＳＳおよびＳ−ＳＳＳの周波数リソースは同じである。一部の実施形態では、周波数リソースは周波数リソースの大きさおよび／または開始位置を含む。一部の実施形態では、Ｓ−ＰＳＳおよびＳ−ＳＳＳの周波数リソースの大きさは同じである。一部の実施形態では、Ｓ−ＰＳＳおよびＳ−ＳＳＳの周波数領域内での開始位置は同じである。別の実施形態では、Ｓ−ＳＳＳはＳ−ＰＳＳの前とすることもできる。別の実施形態では、Ｓ−ＰＳＳはＳ−ＳＳＳに使用される２つのＯＦＤＭシンボルの間とすることもできる。
【手続補正４】
【補正対象書類名】特許請求の範囲
【補正対象項目名】全文
【補正方法】変更
【補正の内容】
【特許請求の範囲】
【請求項１】
同期信号ブロック（ＳＳＢ）を送信するユーザ機器（１０、２０）であって、
メモリ（１２、２２）と、
送受信部（１３、２３）と、
前記メモリ（１２、２２）および前記送受信部（１３、２３）と結合されたプロセッサ（１１、２１）と、
を含み、
前記プロセッサ（１１、２１）は、前記送受信部（１３、２３）を制御してサブフレームまたはスロット内でリソースセットを使用することによりＳＳＢを送信するよう構成され、前記ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、前記リソースセットは前記Ｓ−ＰＳＳに使用される２つの直交周波数分割多重（ＯＦＤＭ）シンボル、前記Ｓ−ＳＳＳに使用される２つのＯＦＤＭシンボル、および前記ＰＳＢＣＨに使用される２つ以上のＯＦＤＭシンボルを含み、前記ＰＳＢＣＨに使用される前記ＯＦＤＭシンボル内の０〜１つのＯＦＤＭシンボルは前記Ｓ−ＰＳＳ用の前記ＯＦＤＭシンボルと前記Ｓ−ＳＳＳ用の前記ＯＦＤＭシンボルの間にあり、前記Ｓ−ＰＳＳに使用される前記ＯＦＤＭシンボルの位置は前記Ｓ−ＳＳＳに使用される前記ＯＦＤＭシンボルの位置の前にある、
ユーザ機器。
【請求項２】
前記Ｓ−ＰＳＳに使用される前記２つのＯＦＤＭシンボルは隣接するＯＦＤＭシンボルである、請求項１に記載のユーザ機器。
【請求項３】
前記Ｓ−ＳＳＳに使用される前記２つのＯＦＤＭシンボルは隣接するＯＦＤＭシンボルである、請求項１または２に記載のユーザ機器。
【請求項４】
前記Ｓ−ＰＳＳに使用される前記ＯＦＤＭシンボルの後の前記ＰＳＢＣＨに使用される最初のＯＦＤＭシンボルは、前記ＰＳＢＣＨを復号するように構成されるＤＭＲＳに使用されるリソースを含む、請求項１〜３のいずれか一項に記載のユーザ機器。
【請求項５】
前記Ｓ−ＰＳＳの前のシンボルには前記ＰＳＢＣＨがマッピングされる、請求項１〜４に記載のユーザ機器。
【請求項６】
前記ＳＳＢは搬送波の中心周波数に配置される、または前記ＳＳＢの周波数位置はあらかじめ設定される、もしくはネットワークにより設定される、請求項１〜５のいずれか一項に記載のユーザ機器。
【請求項７】
時間領域における前記ＳＳＢの位置はあらかじめ設定される、またはネットワークにより設定される、請求項１〜６のいずれか一項に記載のユーザ機器。
【請求項８】
前記ＳＳＢの周期性はあらかじめ設定される、またはネットワークにより設定される、請求項１〜７のいずれか一項に記載のユーザ機器。
【請求項９】
前記Ｓ−ＰＳＳおよび前記Ｓ−ＳＳＳの周波数リソースは同じである、請求項１〜８のいずれか一項に記載のユーザ機器。
【請求項１０】
ユーザ機器の同期信号ブロック（ＳＳＢ）を送信する方法であって、
サブフレームまたはスロット内でリソースセットを使用することによりＳＳＢを送信することを含み、前記ＳＳＢはサイドリンクプライマリ同期信号（Ｓ−ＰＳＳ）、サイドリンクセカンダリ同期信号（Ｓ−ＳＳＳ）、および物理サイドリンクブロードキャストチャネル（ＰＳＢＣＨ）を含み、前記リソースセットは前記Ｓ−ＰＳＳに使用される２つの直交周波数分割多重（ＯＦＤＭ）シンボル、前記Ｓ−ＳＳＳに使用される２つのＯＦＤＭシンボル、および前記ＰＳＢＣＨに使用される２つ以上のＯＦＤＭシンボルを含み、前記ＰＳＢＣＨに使用される前記ＯＦＤＭシンボル内の０〜１つのＯＦＤＭシンボルは前記Ｓ−ＰＳＳ用の前記ＯＦＤＭシンボルと前記Ｓ−ＳＳＳ用の前記ＯＦＤＭシンボルの間にあり、前記Ｓ−ＰＳＳに使用される前記ＯＦＤＭシンボルの位置は前記Ｓ−ＳＳＳに使用される前記ＯＦＤＭシンボルの位置の前にある、
方法（２０２）。
【請求項１１】
前記Ｓ−ＰＳＳに使用される前記２つのＯＦＤＭシンボルは隣接するＯＦＤＭシンボルである、請求項１０に記載の方法。
【請求項１２】
前記Ｓ−ＳＳＳに使用される前記２つのＯＦＤＭシンボルは隣接するＯＦＤＭシンボルである、請求項１０または１１に記載の方法。
【請求項１３】
前記Ｓ−ＰＳＳに使用される前記ＯＦＤＭシンボルの後の前記ＰＳＢＣＨに使用される最初のＯＦＤＭシンボルは、前記ＰＳＢＣＨを復号するように構成されるＤＭＲＳに使用されるリソースを含む、請求項１０〜１２のいずれか一項に記載の方法。
【請求項１４】
前記Ｓ−ＰＳＳの前のシンボルには前記ＰＳＢＣＨがマッピングされる、請求項１０〜１３に記載の方法。
【請求項１５】
前記ＳＳＢは搬送波の中心周波数に配置される、または前記ＳＳＢの周波数位置はあらかじめ設定される、もしくはネットワークにより設定される、請求項１０〜１４のいずれか一項に記載の方法。
【請求項１６】
時間領域における前記ＳＳＢの位置はあらかじめ設定される、またはネットワークにより設定される、請求項１０〜１５のいずれか一項に記載の方法。
【請求項１７】
前記ＳＳＢの周期性はあらかじめ設定される、またはネットワークにより設定される、請求項１０〜１６のいずれか一項に記載の方法。
【請求項１８】
前記Ｓ−ＰＳＳおよび前記Ｓ−ＳＳＳの周波数リソースは同じである、請求項１０〜１７のいずれか一項に記載の方法。
【国際調査報告】
2022501970.tif 000034
2022501970.tif 000035